(57)【要約】【課題】画像形成装置によりリピート複写が実施されたシートの枚数に応じて課金を行う課金管理装置において、利用者が、必要としている部数を確保でき、かつ、リピート複写にかかる料金を低減できる課金管理装置を提供する。【解決手段】本発明の課金管理装置は、画像形成装置１によりリピート複写が実施された用紙の枚数に応じて課金を行う装置であり、用紙サイズ毎に設定された設定料金を記憶する設定料金記憶部４４２と、利用者が原稿画像をリピート複写する部数を入力可能に設けられた表示・操作部５と、上記原稿画像を少なくとも表示・操作部５から入力された部数リピート複写でき、かつ、上記設定料金から算出される用紙の枚数に応じた料金が最低となる、用紙サイズの組合せを演算して決定する組合サイズ決定部４４３と、を備えている。【選択図】図１
2012002938.tif 000002
【特許請求の範囲】
【請求項１】
１シートに同一原稿画像を複数複写するリピート複写機能を有する画像形成装置によりリピート複写が実施されたシートの枚数に応じて課金を行う課金管理装置において、
上記画像形成装置がリピート複写に使用するシートのサイズ毎に設定された設定料金を記憶する記憶部と、
原稿画像をリピート複写する部数の入力を受け付ける入力部と、
上記原稿画像を少なくとも上記入力部から入力された部数配置でき、かつ、上記設定料金から算出されるシートの枚数に応じた料金が最低となる、シートのサイズの組合せを演算して決定する組合サイズ決定部と、
を備えたことを特徴とする課金管理装置。
【請求項２】
上記組合サイズ決定部は、上記組合せが複数ある場合には、配置できる部数が最大となる組合せを、優先して決定することを特徴とする請求項１に記載の課金管理装置。
【請求項３】
上記組合サイズ決定部は、上記組合せが複数ある場合には、シートの総数が最低となる組合せを優先して決定することを特徴とする請求項１に記載の課金管理装置。
【請求項４】
上記組合サイズ決定部が決定した組合せにおける、上記最低となる料金、及び上記組合サイズ決定部が決定した組合せのシートに配置できる最大の部数を通知する通知処理部を備えたことを特徴とする請求項１から３のいずれか項に記載の課金管理装置。
【請求項５】
上記組合サイズ決定部は、さらに、
上記入力された部数よりも部数が多く、かつ、１部当たりの単価が最低となる、シートのサイズの組合せである部数増加組合せと、
上記入力された部数よりも１部少なく、かつ、料金が最低となる、シートのサイズの組合せである部数減少組合せと、を演算して決定し、
上記通知処理部は、
上記部数増加組合せにおける、料金及び配置できる最大の部数と、
上記部数減少組合せにおける、料金及び配置できる最大の部数と、を通知することを特徴とする請求項４に記載の課金管理装置。
【請求項６】
上記通知処理部は、通知する情報を表示部に選択可能に表示することを特徴とする請求項４または５に記載の課金管理装置。
【請求項７】
リピート複写機能を有する画像形成装置において、請求項１から６の何れか１項に記載の課金管理装置を備えたことを特徴とする画像形成装置。
【請求項８】
１シートに同一原稿画像を複数複写するリピート複写機能を有する画像形成装置によりリピート複写が実施されたシートの枚数に応じて課金を行う課金管理方法において、
上記画像形成装置がリピート複写に使用するシートのサイズ毎に設定された設定料金を記憶する記憶ステップと、
原稿画像をリピート複写する部数を受け付ける部数受付ステップと、
上記原稿画像を少なくとも上記受け付けた部数配置でき、かつ、上記設定料金から算出されるシートの枚数に応じた料金が最低となる、シートのサイズの組合せを演算して決定する組合サイズ決定ステップと、
を含むことを特徴とする課金管理方法。
【請求項９】
請求項１から６の何れか１項に記載の課金管理装置が備える上記組合サイズ決定部としてコンピュータを機能させるためのプログラム。
【請求項１０】
請求項９に記載のプログラムを記録したコンピュータ読み取り可能な記録媒体。
【発明の詳細な説明】
【技術分野】
【０００１】
本発明は、画像形成装置の複写処理に対する課金を行う課金管理装置に関するものである。より詳しくは、リピート複写（リピート連写、ピート印刷、多面連写）の機能を有する画像形成装置によりリピート複写が実施されたシートの枚数に応じて課金を行う課金管理装置、課金管理方法、当該課金管理装置を備えた画像形成装置等に関するものである。
【背景技術】
【０００２】
昨今、公共の場に多くの画像形成装置が設置されている。このような画像形成装置として、例えば、コンビニエンスストア等の店頭に複合機（ＭＦＰ：Multi Function Printer）が設置され、店頭を訪れた利用者が複写や印刷の処理を行えるようになっている。また、通常、このような複合機には、利用者に対して複写や印刷の処理の対価を請求するための課金管理装置が備わっており、利用者は、処理の実行前にこの課金管理装置が管理する料金投入装置に料金を投入することで、投入した料金の範囲内で複合機の機能を利用することができる。また、オフィス等にレンタル設置された複写機には、また、複写を含めた印刷に用いた枚数とそのときの用紙サイズとをカウントしておき、カウント数に応じた課金が行われるものがある。
【０００３】
また、画像形成装置には、例えば、チケットのような小サイズの印刷物を複数必要とするような場合に使用される、１枚の用紙に同一の原稿画像を複数複写する機能である、リピート複写（リピート連写、多面連写）の機能を有するものがある。このリピート複写機能を有する画像形成装置として、同じ原稿画像を効率良く並べ、用紙の無駄な余白をなくすものが特許文献１に開示されている。
【０００４】
通常、このリピート複写に関しての課金は、複写した用紙の枚数に応じて課金が行われる。
【先行技術文献】
【特許文献】
【０００５】
【特許文献１】特開２００８−１４２９６９号公報（２００８年６月２６日公開）
【発明の概要】
【発明が解決しようとする課題】
【０００６】
例えば、８０×１４０ｍｍサイズの原稿を１０部リピート複写したい場合、Ａ４用紙であれば、１枚には最大４部配置できるため、計３枚のＡ４用紙が必要となる。Ａ３用紙であれば、１枚に１０部を配置できるため、１枚のＡ３用紙が必要となる。そのため、用紙１枚あたりの複写の価格が、Ａ４が１０円、Ａ３が２０円であるとすると、Ａ４用紙でリピート複写する場合には３０円かかる。しかし、Ａ３用紙であると２０円で済ますことが可能となる。
【０００７】
従来、このような用紙サイズの選択は、利用者に任されていた。つまり、利用者がリピート複写の前に考えて用紙を選択するか、または利用者が複合機に原稿を載せて用紙のサイズを順次切り替え、選択したサイズの用紙に配置できる部数を確認して、最適な用紙サイズを決定する必要があった。よって、利用者にとって、リピート複写において、必要な部数確保できる必要最小限の料金（最低料金）がわかりにくく、算出するには手間がかかった。
【０００８】
上記引用文献１では、用紙に対する最適配置について開示されているが、様々な用紙サイズを組み合わせて料金を安くすることについて考えられていない。
【０００９】
そこで、本願発明は、上記課題に鑑みなされ、画像形成装置によりリピート複写が実施されたシート（用紙）の枚数に応じて課金を行う課金管理装置において、利用者が、必要としている部数を確保でき、かつ、リピート複写にかかる料金を低減できる課金管理装置等を提供することを目的とする。
【課題を解決するための手段】
【００１０】
本発明に係る課金管理装置は、上記課題を解決するために、１シートに同一原稿画像を複数複写するリピート複写機能を有する画像形成装置によりリピート複写が実施されたシートの枚数に応じて課金を行う課金管理装置において、上記画像形成装置がリピート複写に使用するシートのサイズ毎に設定された設定料金を記憶する記憶部と、原稿画像をリピート複写する部数の入力を受け付ける入力部と、上記原稿画像を少なくとも上記入力部から入力された部数配置でき、かつ、上記設定料金から算出されるシートの枚数に応じた料金が最低となる、シートのサイズの組合せを演算して決定する組合サイズ決定部と、を備えたことを特徴としている。
【００１１】
上記構成によると、組合サイズ決定部が、原稿画像を入力部からの入力部数配置でき、かつ、画像形成装置がリピート複写に使用するシートのサイズ毎に設定された設定料金から算出されるシートの枚数に応じた料金が最低となる、シートのサイズの組合せを演算して決定する。シートのサイズの組合せとは、例えばＡ４シートが１枚かつＢ４シートが２枚、あるいは、Ａ４シートのみ４枚、というものである。
【００１２】
例えば、画像形成装置が使用するシートがＡ４、Ａ３、Ｂ４であり、記憶部に記憶された設定料金は、Ａ４が１０円、Ａ３が２３円、Ｂ４シートが１２円であり、８０×１４０ｍｍサイズの原稿画像について、入力部から１０部リピート複写する指示が入力された例（以下では具体例ａと呼ぶ）を用いて説明する。
【００１３】
図３（ａ）に示すように、Ａ４シートであれば、１枚に上記原稿画像を最大４部配置できる。図３（ｃ）に示すように、Ａ３シートであれば、１枚に上記原稿画像を最大１０部配置できる。図３（ｈ）に示すように、Ｂ４シートであれば、１枚に上記原稿画像最大７部を配置できる。そのため、１０部必要な場合、Ａ４を３枚用いると３０円、Ａ３を１枚用いると２３円、Ｂ４を２枚用いると２４円、Ａ４を１枚かつＢ４を１枚用いると２２円の料金となる。この場合、Ａ４を１枚かつＢ４を１枚用いるシートサイズの組合せであると料金が最低となる。よって、組合サイズ決定部は、Ａ４シートを１枚かつＢ４シートを１枚、というシートのサイズの組合せを演算して決定する。
【００１４】
よって、上記組合サイズ決定部が決定したシートサイズの組合せにて画像形成装置がリピート複写を行えば、利用者は、必要最小限の料金（最低料金）で、入力した部数、つまり必要としている部数を確保できる。このように、上記構成によると、利用者にとってコストパフォーマンスがよい、リピート複写の料金が最適化された環境を提供できる。
【００１５】
また、本発明に係る課金管理装置では、上記構成に加え、上記組合サイズ決定部は、上記組合せが複数ある場合には、配置できる部数が最大となる組合せを優先して決定してもよい。
【００１６】
上記組合せが複数ある場合とは、原稿画像を入力部数以上で配置でき、最低料金となるシートのサイズの組合せが複数あるという場合である。例えば、上記具体例ａと同じであるが、ただし、記憶部に記憶された設定料金は、Ａ４が１０円、Ａ３が３０円、Ｂ４が２０円であるとする（以下では具体例ｂと呼ぶ）。
【００１７】
具体例ｂの場合、１０部配置できるシートのサイズの組合せ（Ａ３を１枚）、１１部配置できるシートのサイズの組合せ（Ａ４を１枚とＢ４を１枚）、及び１２部配置できるシートのサイズの組合せ（Ａ４を３枚）、それぞれにかかる料金は同じ最低料金（３０円）になる。これが、上記組合せが複数ある場合である。この場合、１２部配置できるシートのサイズの組合せ（Ａ４を３枚）を優先して決定する、ということである。
【００１８】
上記構成によると、入力部数以上で配置でき、最低料金となるシートのサイズの組合せが複数ある場合には、配置できる部数が最大となる組合せを優先して決定する。このことにより、この優先して決定された組合せのシートにて画像形成装置がリピート複写を行えば、利用者は、必要部数を確保できる最低料金で、最大の部数を手にすることができる。
【００１９】
また、本発明に係る課金管理装置では、上記構成に加え、上記組合サイズ決定部は、上記組合せが複数ある場合には、シートの総数が最低となる組合せを優先して決定してもよい。
【００２０】
例えば、上記具体例ｂでは、入力部数が１０の場合で、１０部配置できるシートのサイズの組合せ（Ａ３を１枚）ではシートの総数は１枚、１１部配置できるシートのサイズの組合せ（Ａ４を１枚とＢ４を１枚）ではシートの総数は２枚、１２部配置できるシートのサイズの組合せ（Ａ４を３枚）ではシートの総数が３枚であり、これらは同じ最低料金（３０円）である。この場合、シートの総数が一番少ない１０部配置できるシートのサイズの組合せ（Ａ３を１枚）を優先して決定する、ということである。
【００２１】
上記構成によると、入力部数以上で配置でき、最低料金となるシートのサイズの組合せが複数ある場合には、シートの総数が最低となる組合せを優先して決定する。このことにより、この優先して決定された組合せのシートにて画像形成装置がリピート複写を行えば、必要部数を確保できる最低料金で、最低の枚数のシートを使用して印刷でき、効率がよく、また無駄が少ない。
【００２２】
また、本発明に係る課金管理装置は、上記構成に加え、上記組合サイズ決定部が決定した組合せにおける、上記最低となる料金、及び上記組合サイズ決定部が決定した組合せのシートに配置できる最大の部数を通知する通知処理部を備えていてもよい。
【００２３】
上記構成によると、最低となる料金、及び上記組合サイズ決定部が決定した組合せのシートに配置できる最大の部数を通知することで、利用者は、必要部数を確保できる最低料金と、そのとき得られる最大部数を知ることができる。よって、組合サイズ決定部が決定した組合せを選択することで、必要部数を確保できる最低料金で最大の部数をリピート複写することができる。
【００２４】
なお、通知処理部は、表示による通知、印刷による通知、音声による通知等、通知する情報を利用者に提供できる形態であれば、いずれの通知方法で通知してもよい。
【００２５】
本発明に係る課金管理装置では、上記構成に加え、上記組合サイズ決定部は、さらに、上記入力された部数よりも部数が多く、かつ、１部当たりの単価が最低となる、シートのサイズの組合せである部数増加組合せと、上記入力された部数よりも１部少なく、かつ、料金が最低となる、シートのサイズの組合せである部数減少組合せと、を演算して決定し、上記通知処理部は、上記部数増加組合せにおける、料金及び配置できる最大の部数と、上記部数減少組合せにおける、料金及び配置できる最大の部数と、を通知してもよい。
【００２６】
上記構成によると、上記部数増加組合せを演算して決定し、この部数増加組合せにおける料金及び配置できる最大の部数とを通知することで、少しの料金増加で複写部数を飛躍的に増やすことができる場合に、利用者に気付かせることができる。
【００２７】
また、上記部数減少組合せを演算して決定し、この部数減少組合せおける料金及び配置できる最大の部数を通知することで、複写部数を１部減らすことによって料金を節約できる場合に、利用者に気付かせることができる。
【００２８】
本発明に係る課金管理装置では、上記構成に加え、上記通知処理部は、通知する情報を表示部に選択可能に表示してもよい。
【００２９】
上記構成によると、通知が表示によって行われるため、利用者はその表示を見ながらリピート複写に対する選択（どのサイズのシートを使用するか）を行うことができる。
【００３０】
本発明に係る画像形成装置は、上記課題を解決するために、リピート複写機能を有する画像形成装置において、上記何れか記載の課金管理装置を備えたことを特徴としている。
【００３１】
上記構成によると、画像形成装置が本発明に係る課金管理装置を備えているため、組合サイズ決定部が決定したシートサイズの組合せでリピート複写を行えば、利用者は、最低料金で、必要としている部数を確保できる。このように、上記構成によると、利用者にとってコストパフォーマンスがよい、リピート複写の料金が最適化された画像形成装置を提供できる。
【００３２】
本発明に係る課金管理方法は、上記課題を解決するために、１シートに同一原稿画像を複数複写するリピート複写機能を有する画像形成装置によりリピート複写が実施されたシートの枚数に応じて課金を行う課金管理方法において、原稿画像をリピート複写する部数を受け付ける部数受付ステップと、上記原稿画像を少なくとも上記受け付けた部数配置でき、かつ、シートのサイズ毎に設定された設定料金から算出されるシートの枚数に応じた料金が最低となる、シートのサイズの組合せを演算して決定する組合サイズ決定ステップと、を含むことを特徴としている。
【００３３】
上記方法によると、上記課金管理装置と同じ効果を奏し、利用者は、最低料金で、必要としている部数を確保できる。このように、上記構成によると、利用者にとってコストパフォーマンスがよい、リピート複写の料金が最適化された環境を提供できる。
【００３４】
なお、本発明の課金管理装置は、コンピュータによって実現してもよく、この場合には、コンピュータを上記組合サイズ決定部として動作させることにより上記課金管理装置をコンピュータにて実現させるプログラム、及びそのプログラムを記録したコンピュータ読み取り可能な記録媒体も、本発明の範疇に入る。
【００３５】
これらの構成によれば、上記プログラムを、コンピュータに読み取り実行させることによって、上記課金管理装置と同一の作用効果を実現することができる。
【発明の効果】
【００３６】
本発明に係る課金管理装置は、以上のように、シートのサイズ毎に設定された設定料金を記憶する記憶部と、原稿画像をリピート複写する部数の入力を受け付ける入力部と、上記原稿画像を少なくとも上記入力部から入力された部数配置でき、かつ、上記設定料金から算出されるシートの枚数に応じた料金が最低となる、シートのサイズの組合せを演算して決定する組合サイズ決定部と、を備えている。
【００３７】
上記構成によると、組合サイズ決定部が、原稿画像を入力部からの入力部数配置でき、かつ、画像形成装置がリピート複写に使用するシートのサイズ毎に設定された設定料金から算出されるシートの枚数に応じた料金が最低となる、シートのサイズの組合せを演算して決定する。
【００３８】
よって、上記組合サイズ決定部が決定したシートサイズの組合せで画像形成装置がリピート複写を行えば、利用者は、必要最小限の料金（最低料金）で、入力した部数、つまり必要としている部数を確保できる。このように、上記構成によると、利用者にとってコストパフォーマンスがよい、リピート複写の料金が最適化された環境を提供できる。
【図面の簡単な説明】
【００３９】
【図１】本発明の実施の形態の画像形成装置の構成を示すブロック図である。
【図２】上記画像形成装置の斜視図である。
【図３】様々なサイズの用紙に８０ｍｍ×１４０ｍｍの原稿を配置させた図であり、（ａ）は、Ａ４用紙で原稿の縦置きを優先した図、（ｂ）は、Ａ４用紙で原稿の横置きを優先した図、（ｃ）は、Ａ３用紙で原稿の縦置きを優先した図、（ｄ）は、Ａ３用紙で原稿の横置きを優先した図、（ｅ）は、Ｂ５用紙で原稿の縦置きを優先した図、（ｆ）は、Ｂ５用紙で原稿の横置きを優先した図、（ｇ）は、Ｂ４用紙で原稿の縦置きを優先した図、（ｈ）Ｂ４用紙で原稿の横置きを優先した図、である。
【図４】上記画像形成装置でのリピート複写に対する課金管理処理の流れを説明するブロック図である。
【図５】上記画像形成装置の表示・操作部を示す図である。
【図６】上記表示・操作部の表示パネルに表示されたリピート複写をスタートさせる画像の一例を示す図である。
【図７】用紙のサイズに対応した、リピート複写できる部数、料金、１部当たりの単価を示す表の一例を示すである。
【図８】必要部数を確保できる用紙サイズの組合せと、そのときリピートコピーできる最大部数、料金、用紙数、１部当たりの単価、を示す表の一例を示す図である。
【図９】図８に示す表から用紙数を１減らした組合せにおける、リピートコピーできる最大部数、料金、用紙数、１部当たりの単価、を示す表の一例を示す図である。
【図１０】上記表示・操作部の表示パネルに組合せを表示させた一例を示す図である。
【発明を実施するための形態】
【００４０】
本発明の実施の一形態について図面に基づいて説明する。
【００４１】
本実施形態の画像形成装置１は、図１に示すように、画像読取部２、データ入力受付部３、画像処理部４、表示・操作部５、印刷処理部６を有する。図１は、画像形成装置１の概略構成を示すブロック図である。図２は、画像形成装置１の斜視図である。
【００４２】
本実施形態では、画像形成装置１は、複写機能、スキャン機能、印刷機能、ＦＡＸ送受信機能、イメージ送信機能等の複数の機能を併せ持つ複合機（ＭＦＰ：Multi Function Peripherals）であるとする。なお、イメージ送信機能には、スキャン機能で読み取り生成した画像データを、e-mailで送信する機能（scan to e-mail）や、usbメモリに格納する機能（scan to usb）が含まれる。画像形成装置１が有する機能はこれらに限定されない。ただし、複写機能のうち、１枚のシート（用紙）に同一の原稿画像を複数複写する機能である、いわゆる、リピート複写機能は必須である。画像形成装置１は、リピート複写機能を有していれば、上記の機能の全てを有していなくてもよし、別の機能を有していてもよい。
【００４３】
画像読取部２は、原稿を光学的に読み取り、読み取った光学信号を変換して原稿画像データを生成し、画像処理部４に出力するブロックである。
【００４４】
データ入力受付部３は、印刷処理の際に、外部の通信端末から画像データを受信するブロックである。画像形成装置１とネットワーク接続したＰＣ等からのデータを受信する形態であってもよいし、画像形成装置１に携帯型メモリの挿入部が設けられており、挿入された携帯型メモリから直接画像データを読み取る形態であってもよい。データ入力受付部３が受信した画像データは、画像処理部４に入力される。
【００４５】
一方、複写処理の際には、画像読取部２が原稿画像を読み取って作成した原稿の画像データが画像処理部４に入力される。
【００４６】
画像処理部４は、画像読取部２からの原稿の画像データ、外部の通信端末からの画像データに対して、表示・操作部５からの操作入力に応じた処理、あるいは、外部の通信端末から受信した指示に従った処理を施し、印刷処理部６に出力するブロックである。
【００４７】
画像処理部４は、前処理部４１、画像メモリ４２、画像調整部４３、レイアウト処理部４４、画像記録部４５、通知処理部４６を備える。
【００４８】
前処理部４１は、画像読取部２からの原稿の画像データ、外部の通信端末からの画像データに対して前処理を行うブロックである。なお、前処理とは、読み込んだ画像データの文字部分と画像部分とを判別してそれぞれの部分に合ったエッジ強調処理などの出力をきれいするための処理である。前処理した画像データは画像メモリに４２出力される。
【００４９】
画像調整部４３は、画像メモリに４２に一時的に保管された画像データに対して、利用者からの表示・操作部５で受け付けた大きさ（拡大または縮小）や、色の調子（コントラスト、トーンの変更）等の画像データに対する変更処理を行うブロックである。
【００５０】
レイアウト処理部４４は、原稿画像（画像データ）を用紙にどのように配置すればよいかの決定を行うブロックである。特に、本実施形態では、表示・操作部５からリピート複写の指示を受け付けた場合に、原稿画像（画像データ）を用紙にどのように配置すればよいかを決定する。
【００５１】
レイアウト処理部４４は、配置枚数算出部４４１、設定料金記憶部４４２、組合サイズ決定部４４３を備えている。
【００５２】
配置枚数算出部４４１は、用紙のサイズの応じた、原稿画像の配置部数（枚数、面）を計算する。具体例を用いて説明する。
【００５３】
８０ｍｍ×１４０ｍｍの原稿画像を、様々なサイズの用紙への配置した例を図３に示す。ここではＡ系、Ｂ系の用紙で説明するが、画像形成装置１で使用できる用紙に対して全ての配置部数を検討する。配置枚数算出部４４１は、原稿画像を縦置き優先で配置した場合と、横置き優先で配置した場合とで、どちらが多く配置できるかを検討し、多く配置できる方の部数を配置部数として決定する。つまり、あるサイズの用紙に最大配置できる部数を配置部数として決定する。
【００５４】
使用する用紙については、印刷処理部での印刷処理における主操作方向を縦、副操作方向を横とする。つまり、Ａ４用紙は、２１０ｍｍ×２９７ｍｍであるが、２９７ｍｍを縦、２１０ｍｍを横とする。Ａ３用紙は、２９７ｍｍ×４２０ｍｍであるが、２９７ｍｍを縦、４２０ｍｍを横とする。Ｂ５用紙は、１８２ｍｍ×２５７ｍｍであるが、２５７ｍｍを縦、１８２ｍｍを横とする。Ｂ４用紙は、２５７ｍｍ×３６４ｍｍであるが、２５７ｍｍを縦、３６４ｍｍを横とする。
【００５５】
また原稿画像については、短い方の幅、つまり８０ｍｍを横、長い方の幅、つまり、１４０ｍｍを縦とする。
【００５６】
図３（ａ）は、上記原稿画像を、Ａ４用紙の主操作方向（２９７ｍｍ）に対して、縦置き優先で配置した例、図３（ｂ）は、上記原稿画像を、Ａ４用紙の主操作方向に対して、横置き優先で配置した例である。比較してわかるように、Ａ４用紙では、図３（ａ）に示す縦置き優先で配置して方が多く、４部配置できる。
【００５７】
図３（ｃ）は、上記原稿画像を、Ａ３用紙の主操作方向（２９７ｍｍ）に対して、縦置き優先で配置した例、図３（ｄ）は、上記原稿画像を、Ａ３用紙の主操作方向に対して、横置き優先で配置した例である。比較してわかるように、Ａ３用紙では、図３（ｃ）に示す縦置き優先で配置した方が多く、１０部配置できる。
【００５８】
図３（ｅ）は、上記原稿画像を、Ｂ５用紙の主操作方向（２５７ｍｍ）に対して、縦置き優先で配置した例、図３（ｆ）は、上記原稿画像を、Ｂ５用紙の主操作方向に対して、横置き優先で配置した例である。比較してわかるように、Ｂ５用紙では、どちらの配置でも同じ、３部配置できる。
【００５９】
図３（ｇ）は、上記原稿画像を、Ｂ４用紙の主操作方向（２９７ｍｍ）に対して、縦置き優先で配置した例、図３（ｈ）は、上記原稿画像を、Ｂ４用紙の主操作方向に対して、横置き優先で配置した例である。比較してわかるように、Ｂ４用紙では、図３（ｈ）に示す横置き優先で配置して方が多く、７部配置できる。
【００６０】
よって、配置枚数算出部４４１は、８０ｍｍ×１４０ｍｍの原稿画像であると、Ａ４で４枚、Ａ３で１０枚、Ｂ５で３枚、Ｂ４で７枚、を配置部数（配置できる最大部数）として決定する（図７参照）。上記以外のサイズの用紙、上記以外のサイズの原稿画像であっても、同様に配置部数を決定する。
【００６１】
以上のように、あるサイズの用紙に最大配置できる部数は、引用文献１と同様の方法を用いて求められる。
【００６２】
設定料金記憶部４４２は、画像形成装置１が、リピート複写を含む複写等の印刷処理に使用する用紙のサイズ毎に設定された設定料金を記憶するブロックである。設定料金記憶部４４２の設定料金は、ネットワーク通信された先の装置あるいは、表示・操作部５からの入力等により変更できるものとする。
【００６３】
組合サイズ決定部４４３は、原稿画像を少なくとも表示・操作部５から入力された部数配置でき、かつ、設定料金記憶部４４２に記憶された設定料金から算出されるシートの枚数に応じた料金が最低となる、用紙サイズの組合せを演算して決定するブロックである。つまり、必要部数を複写するのに必要な用紙サイズの最適な組合せを演算する。
【００６４】
組合サイズ決定部４４３の組合せの演算について、具体例を用いて説明する。画像形成装置１が使用する用紙がＡ４、Ａ３、Ｂ４であり、設定料金は、Ａ４が１０円、Ａ３が２３円、Ｂ４が１２円であるとする。このとき、８０×１４０ｍｍサイズの原稿画像について、表示・操作部５から１０部のリピート複写の指示が入力された、とする（以下では具体例ａと呼ぶ）。
【００６５】
図３（ａ）に示すように、Ａ４用紙であれば、１枚に上記原稿画像を最大４部配置できる。図３（ｃ）に示すように、Ａ３用紙であれば、１枚に上記原稿画像を最大１０部配置できる。図３（ｈ）に示すように、Ｂ４用紙であれば、１枚に上記原稿画像最大７部を配置できる。そのため、１０部必要な場合、Ａ４を３枚用いると３０円、Ａ３を１枚用いると２３円、Ｂ４を２枚用いると２４円、Ａ４を１枚かつＢ４を１枚用いると２２円の料金となる。この場合、Ａ４を１枚かつＢ４を１枚用いる用紙サイズの組合せであると料金が最低となる。よって、組合サイズ決定部４４３は、Ａ４用紙を１枚かつＢ４用紙を１枚、という用紙のサイズの組合せを演算して決定する。
【００６６】
よって、組合サイズ決定部４４３が決定した用紙サイズの組合せにて画像形成装置１がリピート複写を行えば、利用者は、必要最小限の料金（最低料金）で、入力した部数、つまり必要としている部数を確保できる。このように、本実施形態の課金管理装置、及びそれを備えた画像形成装置１は、利用者にとってコストパフォーマンスがよい、リピート複写の料金が最適化された環境を提供できる。
【００６７】
組合サイズ決定部４４３は、上記組合せが複数ある場合には、次の、（１），（２）の順で条件に合う組合せを優先して決定する。
（１）配置できる部数が最大となる組合せ
（２）用紙の総数が最低となる組合せ
組合せが複数ある場合とは、原稿画像を表示・操作部５からの入力部数以上で配置でき、最低料金となるシートのサイズの組合せが複数あるという場合である。例えば、上記具体例ａと同じであるが、ただし、設定料金記憶部４４２に記憶された設定料金は、Ａ４が１０円、Ａ３が３０円、Ｂ４が２０円であるとする（以下では具体例ｂと呼ぶ）。
【００６８】
具体例ｂの場合、１０部配置できる用紙のサイズの組合せ（Ａ３を１枚）、１１部配置できる用紙のサイズの組合せ（Ａ４を１枚とＢ４を１枚）、及び１２部配置できる用紙のサイズの組合せ（Ａ４を３枚）、それぞれにかかる料金は同じ最低料金（３０円）になる。これが、組合せが複数ある場合である。
【００６９】
（１）の場合は、組合サイズ決定部４４３は、同じ最低料金のうち配置できる部数が最大となる１２部配置できる用紙のサイズの組合せ（Ａ４を３枚）を優先して決定する。よって、（１）であると、優先して決定された組合せの用紙にて画像形成装置１がリピート複写を行えば、利用者は、必要部数を確保できる最低料金で、最大の部数を手にすることができる。
【００７０】
（２）の場合は、１０部配置できるシートのサイズの組合せ（Ａ３を１枚）ではシートの総数は１枚、１１部配置できるシートのサイズの組合せ（Ａ４を１枚とＢ４を１枚）ではシートの総数は２枚、１２部配置できるシートのサイズの組合せ（Ａ４を３枚）ではシートの総数が３枚であり、これらは同じ最低料金（３０円）である。よって、組合サイズ決定部４４３は、シートの総数が一番少ない１０部配置できるシートのサイズの組合せ（Ａ３を１枚）を優先して決定する。よって、（２）であると、優先して決定された組合せのシートにて画像形成装置がリピート複写を行えば、必要部数を確保できる最低料金で、最低の枚数のシートを使用して印刷でき、効率がよく、また無駄が少ない。
【００７１】
通知処理部４６は、組合サイズ決定部４４３が決定したシートのサイズの組合せ、そのときの料金、組合サイズ決定部４４３が決定した組合せのシートに配置できる最大の部数等を、利用者に通知（出力）するブロックである。本実施形態では、表示・操作部５の表示パネルにて表示を行う。しかし、印刷による通知、音声による通知等、通知する情報を利用者に提供できる形態であれば、いずれの通知方法で通知してもよい。
【００７２】
本実施形態では、通知処理部４６は、通知する情報を表示・操作部５に、選択可能に表示する。このようであると、利用者は表示・操作部５に表示された情報を見ながらリピート複写に対する選択（どのサイズのシートを使用するか）を行うことができる。
【００７３】
ここで、組合サイズ決定部４４３は、さらに、入力された部数よりも部数が多く、かつ、１部当たりの単価が最低となる、シートのサイズの組合せである部数増加組合せと、入力された部数よりも１部少なく、かつ、料金が最低となる、シートのサイズの組合せである部数減少組合せと、を演算して決定してもよい。そして、通知処理部４６は、上記部数増加組合せにおける、料金及び配置できる最大の部数と、上記部数減少組合せにおける、料金及び配置できる最大の部数と、を通知してもよい。
【００７４】
部数増加組合せを演算して決定し、この部数増加組合せにおける料金及び配置できる最大の部数とを通知することで、少しの料金増加で複写部数を飛躍的に増やすことができる場合に、利用者に気付かせることができる。また、部数減少組合せを演算して決定し、この部数減少組合せおける料金及び配置できる最大の部数を通知することで、複写部数を１部減らすことによって料金を節約できる場合に、利用者に気付かせることができる。
【００７５】
画像記録部４５は、画像調整部で調整され、かつ、各用紙サイズに応じて、レイアウト処理部４４で決定された配置にて配した画像データを、一旦記憶するブロックである、この画像データは印刷処理部６に出力される。
【００７６】
表示・操作部５は、表示パネルや押しボタンなどによって構成され、ユーザーインターフェース（ＵＩ）を提供するブロックである。表示・操作部５は、利用者からの入力を受け付けるとともに、利用者に対して各種情報を表示により通知する。表示・操作部５は、タッチパネルとして実現されていてもよい。
【００７７】
表示・操作部５が利用者から受け付ける情報としては、複写処理などのジョブの種類を指定する情報及びジョブの実行命令、ジョブを実行する際の詳細な画像形成方法を示す詳細設定情報（例えば、出力部数、用紙タイプ、用紙サイズ、出力濃度、カラー／モノクロ、カラー深度、両面印刷／片面印刷、用紙トレイ選択、等）等が挙げられる。これらは単なる例示である。
【００７８】
また、詳細は後述するが、表示・操作部５は、リピート複写を指定する入力を受け付ける。さらに、画像データに対する設定情報（例えば、拡大や縮小の情報）の入力を受け付ける。また、通知処理部４６からの指示に基づき、リピート複写における最低料金となるシートの組合せ等を利用者に通知するための表示を行う。
【００７９】
印刷処理部６は、電子写真方式やインクジェット方式等により、用紙に対して画像を形成する印刷処理を行うブロックである。電子写真方式であれば、露光部、現像部、転写部、定着部等を備え、露光部で、画像処理部４から送られてくる画像データに対する静電潜像を感光体の表面に形成し、現像部で、感光体にトナーを供給して静電潜像を現像する。そして、転写部で、現像によって感光体に形成されたトナー像を用紙等のシートに転写し、定着部では、給紙部７から搬送された用紙（シート）にトナー像を定着させる。
【００８０】
給紙部７は、印刷処理部６での印字に使用する用紙を蓄積しておくブロックであり、複数のトレイを備えている。本実施形態では、各トレイには異なるサイズの用紙が収納されているとする。
【００８１】
また、本実施形態の課金管理装置１００はレイアウト処理部４４、通知処理部４６、表示・操作部５を有する。つまり、画像形成装置１の一部が課金管理装置１００として動作する。しかし、課金管理装置１００が画像形成装置１とは別に設けられている構成であってもよい。
【００８２】
課金管理装置１００は、画像形成装置１で実行する処理に対して、利用者に対する課金を管理する。画像形成装置１の利用者に対して複写や印刷の処理の対価を請求する。本実施形態では、課金管理装置の行う課金管理処理に関して、リピート複写に関するものしか説明を行わない。しかし、画像形成装置１の実行する機能に関する他の課金の管理、データ印刷費、ＦＡＸ通信費等に対する課金管理処理も行う。これらリピート複写に関する課金管理以外の課金管理の処理は、公知の方法で行える。
【００８３】
本実施形態では、図２に示すように、利用者は、処理の実行前にこの課金管理装置１００が管理する料金投入器８に料金を投入することで、投入した料金の範囲内で画像形成装置１の機能を利用することができる。
【００８４】
あるいは、オフィス等にレンタル設置された複合機のように、料金投入器８が設けられておらず、課金管理装置１００が、画像形成装置１での印刷に用いられた用紙サイズと印刷枚数とをカウントしておき、カウント数に応じた課金が行われる形態であってもよい。
【００８５】
次に、画像形成装置１でのリピート複写に対する課金管理処理の流れを図４を用いて説明する。
【００８６】
以下の説明では、具体的に、画像形成装置１の給紙部７には、Ｂ５、Ａ４、Ｂ４、Ａ３のサイズの用紙がそれぞれ格納されており、画像形成装置１は、これら用紙を印刷処理に使用するものとする。また、以下の説明では、具体的に、設定料金記憶部４４２は、Ｂ５、Ａ４、Ｂ４、Ａ３は、１枚当たり、８、１０、１５、１９円として記憶している（図７参照）ものとする（記憶ステップ）。
【００８７】
ます、表示・操作部５は、利用者によるリピート複写（リピート印刷）の指定を受け付ける。リピート複写の指定を受け付けると、画像読取部２が原稿を読み取り、この原稿の原稿画像データを画像処理部４が取得する（Ｓ１）。このとき、表示・操作部５の表示パネルに、図５に示すようなリピートコピーキー５１を含む画面５３を表示する。利用者は、リピートコピーキー５１を押す（触れる）ことで、リピート複写の指定を行うことができる。リピート複写を実行した場合、使用者は、リピート複写したい原稿画像を画像形成装置１の画像読取部２に設けられた原稿台に置き、リピートコピーキー５１を押してリピート複写を指定する。その後、利用者が表示・操作部５に設けられたスタートキー５２を押すと、画像読取部２は、原稿画像を読み取る。ここでは、８０ｍｍ×１４０ｍｍのチケットを原稿画像として読み取るものとする。
【００８８】
次に、表示・操作部５は、利用者がリピート複写したい部数である必要部数（Ｎｋ）の入力を受け付ける（部数受付ステップ）。また、表示・操作部５は、原稿の拡大または縮小の決定を受け付ける（Ｓ２）。このとき、表示・操作部５の表示パネルは、図６に示すような必要部数の入力や原稿の拡大または縮小を行える画面６１を表示する。表示・操作部５の表示パネルは、この画面６１に、画像読取部２が読み取った原稿画像の大きさ等もプレビュー表示する。このような表示により、利用者にリピート複写に必要な部数の入力を促す。利用者は、拡大／縮小キー６２に触れることで、原稿の拡大または縮小の処理を画像調整部４３に実行させることができる。ここでは、２５部が入力され、また、拡大または縮小の入力は行われなかったとする。
【００８９】
次に、配置枚数算出部４４１は、画像形成装置１が使用可能な各用紙のサイズ毎に、原稿画像を最大数配置できるように、用紙サイズ毎の配置部数（連写数量、リピート数量）(Ｎ＊)を算出する（Ｓ３）。Ｂ５サイズの用紙（Ｂ５用紙）では、Ｎｂ５部、Ａ４用紙ではＮａ４部、Ｂ４用紙ではＮｂ４部、Ａ３用紙ではＮａ３部として、配置部数を決定する（図７参照）。
【００９０】
次に、組合サイズ決定部４４３は、表示・操作部５から入力された部数（ここでは２５部）である利用者の必要部数(Ｎｋ)を確保できる用紙サイズの組合せを求め、設定料金記憶部４４２に記憶された設定料金を基に各組合せ毎の料金と確保できる部数（配置できる部数）とを算出する（Ｓ４）。この算出された料金と部数とをテーブルにすると図８の表のようになる。
【００９１】
そして、料金と部数との算出結果から、最も金額が安くなる用紙サイズの組合せを算出して決定する（組合サイズ決定ステップ）。ここで、算出時に、金額が同額の場合には下記Ａ，Ｂの順で条件に合うものを優先して決定する（Ｓ５）。
（Ａ）確保できる部数が多い
（Ｂ）トータル用紙枚数が少ない
図８から、原稿画像を少なくとも必要部数（２５部）配置でき、料金が最低となるのは、パターン２の、５３円であることがわかる。ここでは、５３円と同じ料金の組合せはないので、上記（Ａ）、（Ｂ）については検討されない。
【００９２】
さらに、組合サイズ決定部４４３は、入力された部数よりも部数を増やして１部当たりの料金単価が最低となる用紙サイズの組合せである部数増加組合せと、入力された部数よりも部数を１部減らして料金が最低となる用紙サイズの組合せである部数減少組合せと、を演算して決定しておく。この「入力された部数よりも部数を増やして１部当たりの料金単価が最低となる用紙サイズの組合せ」は、図８のパターン１であることがわかる。また、「入力された部数よりも部数を１部減らして料金が最低となる用紙サイズの組合せ」は、図９に示すパターン３，４であることがわかる。なお、図９は、図８の表から、各組合せにおいて最小のサイズの用紙を１枚減らしたパターンを算出したものである。
【００９３】
そして、通知処理部４６は、表示・操作部５の表示パネルにて、「用紙サイズの組合せ、料金及び部数」の情報を表示する。さらにこのとき、通知処理部４６は、表示・操作部５の表示パネルにて、「入力された部数よりも部数を増やして１部当たりの料金単価が最低となる用紙サイズの組合せにおける、料金及び配置できる最大部数」、及び、「入力された部数よりも部数を１部減らして料金が最低となる用紙サイズの組合せにおける、料金及び配置できる最大部数」の情報を、表示する（Ｓ６）。
【００９４】
ここでは、原稿画像を少なくとも上記入力部から入力された部数配置でき、かつ、上記設定料金から算出されるシートの枚数に応じた料金が最低となる、シートのサイズの組合せとして、図８のパターン２の組合せ（Ａ３が２枚、Ｂ４が１枚で、最大配置数２７部、５３円）が表示される。また、部数増加組合せとして、図８のパターン１の組合せ（Ａ３が３枚で、最大配置数３０部、５７円）、部数減少組合せとして、図９のパターン３または４の組合せ（Ａ３が２枚、Ａ４が１枚で、最大配置数２４部、４８円）が表示される。
【００９５】
このとき、表示・操作部５の表示パネルには、図１０に示すような画面１０１が表示される。画面１０１では、利用者が、リピート複写における、印刷スタートか、部数を変更して印刷スタートか、を選択できるように、表示される。
【００９６】
利用者が、表示・操作部５にて部数及び用紙サイズを選択すると、その選択された部数及び用紙サイズにて、配置された画像データが画像記録部４５に記録される。そして、利用者によりスタートキー５２が押されると、画像記録部４５から画像データを受け取り、印刷処理部６は、リピート複写を伴う印刷処理を実行する（Ｓ７）。
【００９７】
以上のようにリピート複写の処理が行われる。なお、利用者は、Ｓ１の前に、料金投入器８に料金を投入する。課金管理装置１００は、印刷処理後、リピート複写に要した金額を回収し、余った金額を料金投入器８の返却口から返却するか、または、Ｓ６で表示された料金を料金投入器８に投入するようにしてもよい。また、オフィス等にレンタル設置された複合機のように、印刷に用いられた用紙サイズと印刷枚数とのカウント数に応じた課金が行われる形態である場合には、課金管理装置１００は、印刷処理後に、用いられた用紙サイズと印刷枚数とをカウントする。
【００９８】
なお、画像形成装置１の各ブロック、特に、画像処理部４は、ハードウェアロジックによって構成してもよいし、次のようにＣＰＵを用いてソフトウェアによって実現してもよい。
【００９９】
すなわち、画像形成装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである画像形成装置１の制御プログラムのプログラムコード（実行形式プログラム、中間コードプログラム、ソースプログラム）をコンピュータで読み取り可能に記録した記録媒体を、上記画像形成装置１に供給し、そのコンピュータ（またはＣＰＵやＭＰＵ）が記録媒体に記録されているプログラムコードを読み出し実行することによっても、達成可能である。
【０１００】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０１】
また、上記プログラムコードをネットワークを介して供給してもよい。このネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０２】
本発明は、リピート複写機能を有する複写機、複合機（ＭＦＰ：Multi Function Printer）等の画像形成装置に適用可能である。
【符号の説明】
【０１０３】
１      画像形成装置
２      画像読取部
３      データ入力受付部
４      画像処理部
５      表示・操作部（表示部）
６      印刷処理部
７      給紙部
８      料金投入器
４１    前処理部
４２    画像メモリ
４３    画像調整部
４４    レイアウト処理部
４５    画像記録部
４６    通知処理部
１００  課金管理装置
４４１  配置枚数算出部
４４２  設定料金記憶部（記憶部）
４４３  組合サイズ決定部
【図１】
2012002938.tif 000003
【図２】
2012002938.tif 000004
【図３】
2012002938.tif 000005
【図４】
2012002938.tif 000006
【図５】
2012002938.tif 000007
【図６】
2012002938.tif 000008
【図７】
2012002938.tif 000009
【図８】
2012002938.tif 000010
【図９】
2012002938.tif 000011
【図１０】
2012002938.tif 000012